(57)【要約】【課題】本発明は千鳥配設された複数の発光素子アレイユニットの繋ぎ目位置での光量ムラの発生を防止する画像書込装置を提供する。【解決手段】デジタル複写装置１は、感光体の軸線方向に千鳥状に配列された３個のＬＥＤヘッド２５ａ、２５ｂ、２５ｃに、ＬＥＤ書込制御回路５１から１ライン分の画像データをＬＥＤヘッド２５ａ、２５ｂ、２５ｃ毎に分割して転送して駆動する際に、主走査１ラインの間に１ライン分の画像データを各ＬＥＤヘッド２５ａ、２５ｂ、２５ｃに複数回転送し、また、重なり合うＬＥＤヘッド２５ａ、２５ｂ、２５ｃのいずれか一方または双方の繋ぎ目位置のＬＥＤ素子に転送する画像データを制御して、繋ぎ目位置のＬＥＤ素子の点灯回数を制御することで、繋ぎ目位置の２値画像データの階調性を増加させ、光量ムラを防止する。【選択図】          図１
2004216709.tif 000002
【特許請求の範囲】
【請求項１】
複数個の発光素子が１方向に配列された発光素子アレイと当該発光素子アレイの発光光を感光体に結像させる結像手段を備えた複数の発光素子アレイユニットが、前記感光体の軸線方向を主走査方向として副走査方向に所定量ずれて、主走査方向で所定量重なる状態で千鳥状に配列され、画像データ転送制御手段が、１ライン分の画像データを前記発光素子アレイユニット毎に分割して各発光素子アレイユニットに転送して、当該発光素子アレイユニットの各発光素子を駆動させて主走査する画像書込装置において、前記画像データ転送制御手段が、主走査１ラインの間に１ライン分の画像データを前記各発光素子アレイユニットに複数回転送して、前記各発光素子を駆動させることを特徴とする画像書込装置。
【請求項２】
前記画像データ転送制御手段は、前記各発光素子アレイユニットの重なり部分での当該発光素子アレイユニット間の繋ぎ目位置の前記発光素子のうち、当該重なり合う発光素子アレイユニットのいずれか一方または双方の当該繋ぎ目位置の発光素子に転送する画像データを制御して、当該繋ぎ目位置の発光素子の点灯回数を制御することを特徴とする請求項１記載の画像書込装置。
【請求項３】
前記画像データ転送制御手段は、前記繋ぎ目位置の発光素子に転送する画像データを、当該繋ぎ目位置における当該重なり合う発光素子アレイユニット間での発光素子の間隔に基づいて、当該繋ぎ目位置の発光素子に転送する画像データを制御して、当該発光素子の点灯回数を制御することを特徴とする請求項２記載の画像書込装置。
【発明の詳細な説明】
【０００１】
【発明の属する技術分野】
本発明は、画像書込装置に関し、詳細には、千鳥配設された複数の発光素子アレイユニットへ主走査１ラインの間に画像データを複数回転送し、また、発光素子アレイユニット間の繋ぎ目位置の発光素子への画像データを制御して、繋ぎ目位置での光量ムラの発生を防止して画像品質を向上させる画像書込装置に関する。
【０００２】
【従来の技術】
【特許文献１】
特開平１０−８６４３８号公報
電子写真方式を利用した複写機、プリンタ及びファクシミリ装置等の画像形成装置においては、一様に帯電された感光体上に、光書込部で画像データにより変調された書込光を照射して、感光体上に静電潜像を形成し、この静電潜像の形成された感光体に現像部によりトナーを供給して感光体を現像する。画像形成装置は、この感光体上のトナー像を転写部で記録紙に転写した後、定着部で記録紙上に転写したトナー画像を加熱・加圧して定着させて画像形成している。
【０００３】
このような画像形成装置の光書込部としては、光源としてレーザを出射するＬＤ（Ｌａｓｅｒ  Ｄｉｏｄｅ  ）とポリゴンモータにより回転駆動するポリゴンミラーを備えたレーザビーム走査光学系を用いたＬＤ走査方式と、光源としてＬＥＤ（Ｌｉｇｈｔ  Ｅｍｉｔｔｉｎｇ  Ｄｉｏｄｅ）等の発光素子をアレイ状に配列した発光素子アレイ方式とが一般に用いられている。
【０００４】
発光素子アレイ方式は、ＬＤ走査方式のポリゴンミラーのような可動部がなく、高信頼性であり、また、Ａ０幅等の大判サイズのプリント出力を必要とする広幅機の場合には、主走査方向に光ビームを走査させるための光学的空間が不要であり、ＬＥＤアレイとセルフォックレンズ等の光学素子を一体化したＬＥＤヘッド（発光素子アレイユニット）を配置することで対応することができ、装置全体を小型化することができるので、ＬＤ走査方式から置き換わってきている。
【０００５】
一方、発光素子アレイ方式は、発光素子アレイユニットとして、画像書込幅以上の長尺の発光素子アレイユニットを用いる必要があるが、Ａ０幅等の大判サイズのプリント出力を必要とする幅広機では、長尺の発光素子アレイユニットに応じて使用するＬＥＤ素子ドライバＩＣが増えて生産の歩留まりが低下し、また、発光素子アレイユニットが長くなり、書込ビーム配列の精度を維持するために、高精度の部品を用いる必要があり、部品単価も小型のプリンタや複写機の発光素子アレイユニットに比較して、非常に高価なものとなってしまう。また、この長尺の発光素子アレイユニットのうちの１ドットでも故障すると、発光素子アレイユニット毎交換しなければならず、この観点からも高価なものとなる。
【０００６】
そこで、本出願人は、先に、露光手段を、感光体の軸線方向に沿って配列した複数個の固体ライン状書込デバイスによって構成し、感光体の軸線方向の最大感光体幅を複数個の固体ライン状書込デバイスによって分割露光可能にした画像形成装置を提案している（特許文献１参照）。
【０００７】
すなわち、この従来技術は、感光体の軸線上に沿って、複数個（２個、３個）のＬＥＤヘッドを配置し、分割露光しており、例えば、Ａ０幅にするには、Ａ３幅用のＬＥＤヘッドを種走査方向に千鳥状に３本並べて全体でＡ０幅にして、分割露光することで、大型機においても安価な書込部を構成している。
【０００８】
【発明が解決しようとする課題】
しかしながら、上記従来技術にあっては、固体ライン状書込デバイスとして、例えば、ＬＥＤヘッドを感光体の軸方向に沿って感光体の軸方向の最大感光幅だけ複数個配列し、各ＬＥＤヘッドを分割露光しているため、各ＬＥＤヘッドの繋ぎ目部での画像品質が悪化するという問題があった。
【０００９】
すなわち、例えば、ＬＥＤヘッドを、図８に示すように、３つの発光素子アレイユニット１００１、１００２、１００３を千鳥状に配列した場合、例えば、発光素子アレイユニット１００１と発光素子アレイユニット１０２の重なった繋ぎ目ドットＤａが２値データ「１」であると、図８のドットＤａとドットＤｂ部分を拡大してその光量を示す図９に示すように、発光素子アレイユニット１００１のドットＤｂとの距離が狭く、発光素子アレイユニット１００１のドットＤｃと干渉して光量が増し、黒スジが発生してしまうという問題があった。この場合、図９に示すように、ドットＤａを２値データ「０」にすると、逆に光量が減少し、白スジが発生して、やはり画像品質が悪化するという問題がある。
【００１０】
ところが、１ドット画像データの階調が多値であると、繋ぎ目部の光量を制御することで、容易に白スジや黒スジの光量ムラを補正することができるが、１ドット画像データが２値（「０」または「１」）の場合には、繋ぎ目部の画像データを「０」、「１」に制御して光量の補正を行っても、上述のように、繋ぎ目部の光量ムラ（スジ）を補正することができず、画像品質が悪化する。
【００１１】
そこで、請求項１記載の発明は、複数個の発光素子が１方向に配列された発光素子アレイを有する複数の発光素子アレイユニットが、感光体の軸線方向を主走査方向として副走査方向に所定量ずれて、主走査方向で所定量重なる状態で千鳥状に配列され、１ライン分の画像データを発光素子アレイユニット毎に分割して各発光素子アレイユニットに転送して、当該発光素子アレイユニットの各発光素子を駆動させて主走査するに際して、主走査１ラインの間に１ライン分の画像データを各発光素子アレイユニットに複数回転送して、各発光素子を駆動させることにより、２値画像データの階調性を増加させて、繋ぎ目位置の光量ムラを防止し、画像品質を向上させる画像書込装置を提供することを目的としている。
【００１２】
請求項２記載の発明は、各発光素子アレイユニットの重なり部分での当該発光素子アレイユニット間の繋ぎ目位置の発光素子のうち、当該重なり合う発光素子アレイユニットのいずれか一方または双方の当該繋ぎ目位置の発光素子に転送する画像データを制御して、当該繋ぎ目位置の発光素子の点灯回数を制御することにより、繋ぎ目位置の２値画像データの階調性を一層増加させて、繋ぎ目位置の光量ムラを一層防止し、画像品質を一層向上させる画像書込装置を提供することを目的としている。
【００１３】
請求項３記載の発明は、繋ぎ目位置の発光素子に転送する画像データを、当該繋ぎ目位置における当該重なり合う発光素子アレイユニット間での発光素子の間隔に基づいて、当該繋ぎ目位置の発光素子に転送する画像データを制御して、当該発光素子の点灯回数を制御することにより、繋ぎ目位置の２値画像データの階調性をより一層増加させて、繋ぎ目位置の光量ムラをより一層防止し、画像品質をより一層向上させる画像書込装置を提供することを目的としている。
【００１４】
【課題を解決するための手段】
請求項１記載の発明の画像書込装置は、複数個の発光素子が１方向に配列された発光素子アレイと当該発光素子アレイの発光光を感光体に結像させる結像手段を備えた複数の発光素子アレイユニットが、前記感光体の軸線方向を主走査方向として副走査方向に所定量ずれて、主走査方向で所定量重なる状態で千鳥状に配列され、画像データ転送制御手段が、１ライン分の画像データを前記発光素子アレイユニット毎に分割して各発光素子アレイユニットに転送して、当該発光素子アレイユニットの各発光素子を駆動させて主走査する画像書込装置において、前記画像データ転送制御手段が、主走査１ラインの間に１ライン分の画像データを前記各発光素子アレイユニットに複数回転送して、前記各発光素子を駆動させることにより、上記目的を達成している。
【００１５】
上記構成によれば、複数個の発光素子が１方向に配列された発光素子アレイを有する複数の発光素子アレイユニットが、感光体の軸線方向を主走査方向として副走査方向に所定量ずれて、主走査方向で所定量重なる状態で千鳥状に配列され、１ライン分の画像データを発光素子アレイユニット毎に分割して各発光素子アレイユニットに転送して、当該発光素子アレイユニットの各発光素子を駆動させて主走査するに際して、主走査１ラインの間に１ライン分の画像データを各発光素子アレイユニットに複数回転送して、各発光素子を駆動させているので、２値画像データの階調性を増加させて、繋ぎ目位置の光量ムラを防止することができ、画像品質を向上させることができる。
【００１６】
この場合、例えば、請求項２に記載するように、前記画像データ転送制御手段は、前記各発光素子アレイユニットの重なり部分での当該発光素子アレイユニット間の繋ぎ目位置の前記発光素子のうち、当該重なり合う発光素子アレイユニットのいずれか一方または双方の当該繋ぎ目位置の発光素子に転送する画像データを制御して、当該繋ぎ目位置の発光素子の点灯回数を制御するものであってもよい。
【００１７】
上記構成によれば、各発光素子アレイユニットの重なり部分での当該発光素子アレイユニット間の繋ぎ目位置の発光素子のうち、当該重なり合う発光素子アレイユニットのいずれか一方または双方の当該繋ぎ目位置の発光素子に転送する画像データを制御して、当該繋ぎ目位置の発光素子の点灯回数を制御しているので、繋ぎ目位置の２値画像データの階調性を一層増加させて、繋ぎ目位置の光量ムラを一層防止することができ、画像品質を一層向上させることができる。
【００１８】
また、例えば、請求項３に記載するように、前記画像データ転送制御手段は、前記繋ぎ目位置の発光素子に転送する画像データを、当該繋ぎ目位置における当該重なり合う発光素子アレイユニット間での発光素子の間隔に基づいて、当該繋ぎ目位置の発光素子に転送する画像データを制御して、当該発光素子の点灯回数を制御するものであってもよい。
【００１９】
上記構成によれば、繋ぎ目位置の発光素子に転送する画像データを、当該繋ぎ目位置における当該重なり合う発光素子アレイユニット間での発光素子の間隔に基づいて、当該繋ぎ目位置の発光素子に転送する画像データを制御して、当該発光素子の点灯回数を制御しているので、繋ぎ目位置の２値画像データの階調性をより一層増加させて、繋ぎ目位置の光量ムラをより一層防止することができ、画像品質をより一層向上させることができる。
【００２０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２１】
図１〜図７は、本発明の画像書込装置の一実施の形態を示す図であり、図１は、本発明の画像書込装置の一実施の形態を適用したデジタル複写装置１の概略構成図である。
【００２２】
デジタル複写装置１は、本体筐体２内に、給紙部３、搬送部４、画像形成部５、定着部６、排紙部７及び画像読取部８等が収納されており、さらに、手差しトレイ１０、原稿台１１、分離チャージャ１２、搬送タンク１３及び排紙トレイ１４等が設けられているとともに、操作部１５（図２参照）等が設けられている。
【００２３】
給紙部３には、複数の転写紙２１がセットされ、搬送部４は、レジストローラ２２等を備えて、給紙部３の適宜の転写紙２１をレジストローラ２２でタイミング調整した後、画像形成部５に搬送する。また、搬送部４は、手差しトレイ１０上にセットされた転写紙２１についても、レジストローラ２２でタイミング調整した後、画像形成部５に搬送する。
【００２４】
画像形成部５は、図１の反時計方向に回転駆動される感光体２３を中心として、帯電部２４、光書込部２５、現像部２６、転写部２７、クリーニング部２８等を備えており、帯電部２４は、例えば、グリッド付きのスコロトロンチャージャが用いられていて、感光体２３を一様に帯電（例えば、−１２００Ｖに帯電）させる。画像形成部５は、帯電部２４により一様に帯電された感光体２３に、画像読取部８で読み取った原稿の画像データに基づいて点灯制御される光を光書込部２５が照射することで、光の照射された部分の感光体２３の表面の電荷を光導電現象でアースに流して消滅させて静電潜像を形成して、静電潜像の形成された感光体２３に現像部２６がトナーを付着させてトナー画像を形成する。すなわち、現像部２６内のトナーは、撹拌によって負に帯電されており、バイアスは、−７００Ｖに印可されていて、光の照射部分にだけトナーが付着する。画像形成部５は、感光体２３上に形成したトナー画像を、給紙部３から搬送されてきた転写紙２１に転写部２７で転写し、転写の完了した転写紙２１を分離チャージャ１２により分離して、搬送タンク１３で定着部６に搬送する。また、画像形成部５は、転写の完了した感光体２３上の残留トナーをクリーニング部２８でクリーニングし、清浄にクリーニングされた感光体２３を図示しない除電部で除電した後、帯電部２４で一様に帯電させて、再度画像形成に供する。
【００２５】
そして、この光書込部２５は、図２に示すように、例えば、感光体２３がＡ０幅の書込幅を有しているときには、Ａ３幅の３つのＬＥＤヘッド（発光素子アレイユニット）２５ａ、２５ｂ、２５ｃとＬＥＤ書込制御回路５１及び図示しないＳＡＬ（セルフォックレンズアレイ）等の結像手段等を有し、ＬＥＤヘッド２５ａ〜２５ｃは、感光体２３の軸方向にアレイ状に配設されているとともに、感光体２３の回転方向に位置ずれして千鳥状に配設されている。そして、各ＬＥＤヘッド２５ａ〜２５ｃは、ＬＥＤヘッド２５ｂについて図３に示すように、４０個のＬＥＤアレイ（発光素子アレイ）２５ｂ＿ＬＡ１〜２５ｂ＿ＬＡ４０が列状に等間隔で配列されており、各ＬＥＤアレイ２５ｂ＿ＬＡ１〜２５ｂ＿ＬＡ４０は、それぞれ１９２個のＬＥＤ素子ＬＥ１〜ＬＥ１９２、・・・ＬＥ７４８９〜ＬＥ７６８０が列状に配列されて、総数で、７６８０（１９２×４０＝７６８０）個のＬＥＤ素子が配列されている。各ＬＥＤ素子ＬＥ１〜ＬＥ７６８０には、各ＬＥＤアレイ２５ｂ＿ＬＡ１〜２５ｂ＿ＬＡ４０毎にドライバ２５ｂ＿Ｄｒ１〜２５ｂ＿Ｄｒ４０が接続されており、各ドライバ２５ｂ＿Ｄｒ１〜２５ｂ＿Ｄｒ４０には、ＬＥＤ書込制御回路５１が接続されている。
【００２６】
ＬＥＤ書込制御回路（画像データ転送制御手段）５１は、各ドライバ２５ｂ＿Ｄｒ１〜２５ｂ＿Ｄｒ４０にその時間だけそのＬＥＤ素子ＬＥ１〜ＬＥ７６８０を点灯させるストローブ信号ＳＴＢ、データ転送用のクロックＣＬＫ、データ転送を開始するためのセット信号ＲＥＳＥＴ、データをセレクトする信号、光量補正と通常画像のデータを切り換えるロード信号ＬＯＡＤ等を各ドライバ２５ｂ＿Ｄｒ１〜２５ｂ＿Ｄｒ４０に出力する。
【００２７】
また、ＬＥＤヘッド２５ｂには、チップサーミスタ２５ｂ＿ＴＨがヒートシンクまたはプリント基板に設けられていて、各ドライバ２５ｂ＿Ｄｒ１〜２５ｂ＿Ｄｒ４０に接続されており、チップサーミスタ２５ｂ＿ＴＨは、温度検知して、各ＬＥＤ素子ＬＥ１〜ＬＥ７６８０の発光電流を制御する。また、チップサーミスタ２５ｂ＿ＴＨの検出電圧は、ＬＥＤ書込制御回路５１にも入力され、ＬＥＤ書込制御回路５１が、チップサーミスタ２５ｂ＿ＴＨからの温度検知結果に基づいて、温度をモニタでき、さらに、ＬＥＤ書込制御回路５１からのＶｒｅｆ信号により補正を行うことができる。そして、ＬＥＤ書込制御回路５１は、画像データＤＡＴＡ０〜ＤＡＴＡ３を、４画素同時に各ドライバ２５ｂ＿Ｄｒ１〜２５ｂ＿Ｄｒ４０に転送し、各ドライバ２５ｂ＿Ｄｒ１〜２５ｂ＿Ｄｒ４０は、それぞれ内部で転送されてくる画像データＤＡＴＡ０〜ＤＡＴＡ３をラッチして、各ＬＥＤ素子ＬＥ１〜ＬＥ７６８０の点灯・消灯を行う。
【００２８】
そして、ドライバ２５ｂ＿Ｄｒ１〜２５ｂ＿Ｄｒ４０は、そのドライバ２５ｂ＿Ｄｒ１について図４に示すように、パルスクロック１０１、データバス１０２、データラッチ１０３、電流ドライバ１０４及びチップ補正データラッチ１０５を備えており、ＬＥＤ書込制御回路５１からのデータセレクト信号、ロード信号ＬＯＡＤ、画像データ（光量補正データ）ＤＡＴＡ０〜ＤＡＴＡ３、クロックＣＬＫ、セット信号ＲＥＳＥＴがバスクロック１０１に入力される。ロード信号ＬＯＡＤは、電源オンのときのＬＥＤ光量補正データ転送モードと通常の画像データ転送モードの切換信号である。ドライバ２５ｂ＿Ｄｒ１は、電源オンで、各ＬＥＤ素子ＬＥ１〜ＬＥ７６８０の光量補正データ及びドライバチップ補正画像データＤＡＴＡ０〜ＤＡＴＡ３をデータラインを介してドライバ２５ｂ＿Ｄｒ１にラッチし、さらに、チップ補正データラッチ１０５に格納する。ドライバ２５ｂ＿Ｄｒ１は、画像データＤＡＴＡ０〜ＤＡＴＡ３をバスクロック１０１からデータバス１０２に転送し、さらにデータバス１０２からデータラッチでラッチして、定電流ドライバ１０４に転送する。ドライバ２５ｂ＿Ｄｒ１は、定電流ドライバ１０４で、温度による補正、Ｖｒｅｆからの信号に基づく補正及び光量補正データの補正を行い、ストローブ信号ＳＴＢにより各ＬＥＤ素子ＬＥ１〜ＬＥ１９２を発光させる。
【００２９】
再び、図１において、定着部６は、所定の定着温度に加熱される加熱ローラと加熱ローラに圧接されている加圧ローラを備え、画像形成部５から搬送されてくるトナー画像の形成されている転写紙２１を搬送しつつ加熱・加圧して、トナー画像を転写紙２１に定着させて、定着の完了した転写紙２１を排紙部７に排出する。
【００３０】
排紙部７は、定着の完了した転写紙２１を排紙トレイ１４上に排出する。
【００３１】
上記画像読取部８は、ローラ３１、密着センサ３２、密着センサ３２と対向する位置に配設されている白色ローラ３３及びローラ３４等を備え、原稿台１１上にセットされた原稿をローラ３１により密着センサ３２と白色ローラ３３の間に搬送する。画像読取部８は、ローラ３１により密着センサ３２と白色ローラ３３との間に搬送されてきた原稿を白色ローラ３３、ローラ３１及びローラ３４で搬送しつつ密着センサ３２で原稿を主走査及び副走査して、原稿の画像を読み取る。すなわち、密着センサ３２は、その光源（例えば、ＬＥＤ）から原稿に読取光を照射し、原稿で反射された画像情報を含む反射光を光電変換してアナログの画像信号を出力する。画像読取部８は、読み取りの完了した原稿をローラ３４により原稿排紙トレイ１６上に排出する。なお、白色ローラ３３は、照明ムラや密着センサ３２の画素毎の感度ムラに等に起因するバラツキを補正するシェーディング補正に利用され、デジタル複写装置１は、この白色ローラ３３を読み取ったときの密着センサ３２の出力するデータをシェーディングデータ（白基準データ）として用いてシェーディング補正する。
【００３２】
そして、デジタル複写装置１は、図２に示すように回路ブロック構成されており、上記画像読取部８、画像形成部５、操作部１５等を備えているとともに、画像情報記憶部４１等を備えている。
【００３３】
画像読取部８は、上記密着センサ３２を備えているとともに、画像増幅回路８１、Ａ／Ｄ変換回路８２、シェーディング補正回路８３、画像処理回路８４、同期制御回路８５、読取制御回路８６及びスキャナ駆動部８７等を有しており、上記密着センサ３２の読み取った原稿のアナログ画像信号が画像増幅回路８１に入力される。画像増幅回路８１は、密着センサ３２から入力されるアナログ画像信号を増幅してＡ／Ｄ変換回路８２に出力し、Ａ／Ｄ変換回路８３は、画像増幅回路８１で増幅されたアナログ画像信号を画素毎の多値デジタル画像データに変換して、シェーディング補正回路８３に出力する。シェーディング補正回路８３は、同期制御回路８５から入力されるクロックに同期してＡ／Ｄ変換回路８２の変換した多値デジタル画像データを取り込んで、光量ムラ、コンタクトガラスの汚れ、密着センサ３２の感度ムラ等によるひずみを補正して、画像処理回路８４に出力し、画像処理回路８４は、シェーディング補正回路８３でシェーディング補正された多値デジタル画像データをデジタル記録画像データに変換して、画像情報記憶部４１の画像メモリ部６１に出力する。
【００３４】
画像情報記憶部４１は、画像メモリ部６１、システム制御部６２及び駆動制御回路６３等を備えており、また、画像形成部５は、上記ＬＥＤヘッド２５ａ、２５ｂ、２５ｃとＬＥＤ書込制御回路５１を備えているとともに、プリンタ駆動部５２を備えている。
【００３５】
画像情報記憶部４１の画像メモリ部６１には、上記画像読取部８の画像処理回路８４からのデジタル記録画像データが書き込まれ、画像メモリ部６１に書き込まれた画像データは、同期信号クロックにより画像形成部５のＬＥＤ書込制御回路５１に転送される。
【００３６】
システム制御部６２は、デジタル複写装置１の全体の制御を行って、読取制御回路８６、画像メモリ部６１、ＬＥＤ書込制御回路５１での画像データの転送制御を行い、また、駆動制御回路６３を介してスキャナ駆動部８７とプリンタ駆動部５２を制御してモータ等を駆動させて、原稿の搬送や転写紙２１の搬送を円滑に制御する。
【００３７】
画像形成部５は、上記画像メモリ部６１からデジタル記録画像データが同期信号クロックによりＬＥＤ書込制御回路５１に転送され、ＬＥＤ書込制御回路５１は、この転送されてきたデジタル記録画像データを１画素単位にビット変換して各ＬＥＤヘッド２５ａ、２５ｂ、２５ｃのＬＥＤ素子ＬＥ１〜ＬＥ７６８０に出力して、各ＬＥＤ素子ＬＥ１〜ＬＥ７６８０の発光制御を行う。
【００３８】
そして、この画像メモリ部６１からＬＥＤ書込制御回路５１へのデジタル記録画像データの流れとしては、画像メモリ部６１からイーブン（Ｅ）、オッド（Ｏ）の２値画像データが２ラインパラレルの１６ＭＨｚでＬＥＤ書込制御回路５１に送られてくる。このＬＥＤ書込制御回路５１に２ラインで送られてきたデジタル記憶画像データは、ＬＥＤ書込制御回路５１内で一旦、１ラインに合成された後、各ＬＥＤヘッド２５ａ、２５ｂ、２５ｃに転送される。
【００３９】
操作部１５は、デジタル複写装置１に動作をさせるための各種操作を行う操作パネル７１と操作制御回路７２を備えており、操作制御回路７２は、操作パネル７１の操作内容を画像情報記憶部４１のシステム制御部６２に渡し、また、システム制御部６２からの情報を操作パネル７１の表示部に表示出力する。
【００４０】
上記ＬＥＤ書込制御回路５１は、具体的には、図５に示すように回路構成されており、画像データ入力部９０、第１ＩＣ９１、第２ＩＣ９２、画像データＲＡＭ部９３Ａ＿１〜９３Ａ＿３、９３Ｂ＿１〜９３Ｂ＿３、画像データ遅延部９４Ａ〜９４Ｃ、光量補正ＲＡＭ部９５、画像データ出力部９６、ダブルコピーＲＡＭ部９７、ダウンロード部９８及びリセット回路部９９等を備えている。
【００４１】
画像データ入力部９０には、画像メモリ部６１から２値画像信号イーブン（ＰＫＤＥ）とオッド（ＰＫＤＯ）及びタイミング信号が入力され、これらの信号は、画像データメモリ部６１の低電圧作動信号素子ＬＶＤＳドライバを使用してパラレルからシリアルに変換されている。したがって、画像データ入力部９０は、ＬＶＤＳレシーバを使用して、シリアル信号をパラレル信号に変換し、２つ画像信号ＰＫＤＥ、ＰＫＤＯ、クロックＣＬＫＡ及びタイミング信号ＬＳＹＮＣ＿Ｎ、ＬＧＡＴＥ＿Ｎ、ＦＧＡＴＥＩＰＵ＿Ｎとして、第１ＩＣ９１に入力する。
【００４２】
第１ＩＣ９１は、タイミング信号ＬＳＹＮＣ＿ＮとＦＧＡＴＥＩＰＵ＿Ｎを、第１ＩＣ９１の内部クロックと同期させ、画像信号処理時間分遅らせて、ＲＬＳＹＮＣ、ＲＦＧＡＴＥとして、第２ＩＣ９２に出力する。
【００４３】
第１ＩＣ９１は、入力される画像信号を内部でラッチ遅延して、４ビットのＳＲＡＭＤＩ（３．．０）として、ＳＲＡＭアドレス信号ＡＤＲＡ（１０．．０）及びＡＤＲＢ（１０．．０）とともに画像データＲＡＭ部９３Ａ＿１〜９３Ｂ＿３の３個のＡ群ＳＲＡＭ９３Ａ＿１〜９３Ａ＿３とＢ群ＳＲＡＭ９３Ｂ＿１〜９３Ｂ＿３に８ＭＨｚで転送し、この画像データＲＡＭ部９３Ａ＿１〜９３Ａ＿３は、３個のＬＥＤヘッド２５ａ、２５ｂ、２５ｃに対して、ＬＥＤヘッド２５ａには、ＳＲＡＭ９３Ａ＿１が、ＬＥＤヘッド２５ｂには、ＳＲＡＭ９３Ａ＿２が、ＬＥＤヘッド２５ｃには、ＳＲＡＭ９３Ａ＿３がそれぞれ割り付けられている。画像データＲＡＭ部９３Ａ＿１〜９３Ｂ＿３は、８ＭＨｚで画像信号をＡ群ＳＲＡＭ９３Ａ＿１〜９３Ａ＿３に順次格納して、１ライン終了すると、３個のＡ群ＳＲＡＭ９３Ａ＿１〜９３Ａ＿３から同時に画像信号を読み出して、第１ＩＣ９１に転送する。
【００４４】
第１ＩＣ９１は、Ａ群ＳＲＡＭ９３Ａ＿１〜９３Ａ＿３から読み出された画像信号を内部回路でラッチして、８ビット単位として、ＬＥＤヘッド２５ａ用の画像データについては、第２ＩＣ９２に、ＬＥＤヘッド２５ｂ及びＬＥＤヘッド２５ｃ用の画像データについては、ＦＭ（フィールドメモリ）である画像データ遅延部９４Ａ〜９４Ｃに、それぞれ転送し、また、Ａ群ＳＲＡＭ９３Ａ＿１〜９３Ａ＿３からの読み出し動作を主走査１ライン間で数回行って、同様に転送する。
【００４５】
さらに、画像データＲＡＭ部９３Ａ＿１〜９３Ｂ＿３は、Ａ群ＳＲＡＭ９３Ａ＿１〜９３Ａ＿３の読み出しを行っている間、次のライン画像信号をＢ群ＳＲＡＭ９３Ｂ＿１〜９３Ｂ＿３にＡ群ＳＲＡＭ９３Ａ＿１〜９３Ａ＿３と同様に格納する。画像データＲＡＭ部９３Ａ＿１〜９３Ｂ＿３は、このリード動作とライト動作をＡ群ＳＲＡＭ９３Ａ＿１〜９３Ａ＿３とＢ群ＳＲＡＭ９３Ｂ＿１〜９３Ｂ＿３をトグル動作させることにより、ライン間の繋ぎを行っている。
【００４６】
そして、光書込部２５は、上述のように、Ａ３幅のＬＥＤヘッド２５ａ、２５ｂ、２５ｃを千鳥状に配設しているため、ＬＥＤヘッド２５ｂが、ＬＥＤヘッド２５ａを基準として、メカニカルレイアウト上、副走査方向に１７ｍｍずらして取り付けられている。
【００４７】
したがって、Ａ群ＳＲＡＭ９３Ａ＿１〜９３Ａ＿３とＢ群ＳＲＡＭ９３Ｂ＿１〜９３Ｂ＿３から出力される画像信号を同時に処理してＬＥＤヘッド２５ｂに転送すると、ＬＥＤヘッド２５ａに対して、ＬＥＤヘッド２５ｂは、副走査方向に１７ｍｍ（１７ｍｍ／４２．３μｍ（６００ｄｐｉに１ｄｏｔ）＝約４００ライン）ずれて印刷されてしまう。
【００４８】
そこで、ＬＥＤ書込制御回路５１は、このようなメーカ的なずれを補正するために、第１ＩＣ９１から転送されたＬＥＤヘッド２５ｂの８ビットの画像信号を画像データ遅延部９４Ａ〜９４Ｃのフィールドメモリ９４Ａにライン順に転送し、２００ライン（固定）分書き込む。次に、ＬＥＤ書込制御回路５１は、画像信号の書き込まれたフィールドメモリ９４Ａから画像信号を読み出すと同時に、カスケード接続されているフィールドメモリ９４Ｂに２００ライン（可変）書き込み、この書き込まれたフィールドメモリ９４Ｂから画像信号を読み出して、Ｌ２ＤＦＭＯ（７．．０）として、第２ＩＣ９２に入力する。したがって、ＬＥＤヘッド２５ｂへの画像信号は、４００ライン（１７ｍｍ）遅延される。この遅延させるライン数は、ＬＥＤヘッド２５ｂの部品精度や組み付けばらつき等により個々に異なるため、１ライン（４２．３μｍ）単位で制御することができるようになっている。
【００４９】
また、光書込部２５は、上述のように、Ａ３幅のＬＥＤヘッド２５ａ、２５ｂ、２５ｃを千鳥状に配設しているため、ＬＥＤヘッド２５ｃが、ＬＥＤヘッド２５ａを基準として、メカニカルレイアウト上、副走査方向に１ｍｍずらして取り付けられている。
【００５０】
したがって、Ａ群ＳＲＡＭ９３Ａ＿１〜９３Ａ＿３とＢ群ＳＲＡＭ９３Ｂ＿１〜９３Ｂ＿３から出力される画像信号を同時に処理してＬＥＤヘッド２５ｃに転送すると、ＬＥＤヘッド２５ａに対して、ＬＥＤヘッド２５ｃは、副走査方向に１ｍｍ（１ｍｍ／４２．３μｍ（６００ｄｐｉに１ｄｏｔ）＝約２３ライン）ずれて印刷されてしまう。
【００５１】
そこで、ＬＥＤ書込制御回路５１は、このようなメーカ的なずれを補正するために、第１ＩＣ９１から転送されたＬＥＤヘッド２５ｃの８ビットの画像信号を画像データ遅延部９４Ａ〜９４Ｃのフィールドメモリ９４Ｃにライン順に転送し、２３ライン（可変）分書き込む。次に、ＬＥＤ書込制御回路５１は、画像信号の書き込まれたフィールドメモリ９４Ｃから画像信号を読み出して、Ｌ３ＤＦＭＯ（７．．０）として、第２ＩＣ９２に入力する。したがって、ＬＥＤヘッド２５ｃへの画像信号は、２３ライン（１ｍｍ）遅延される。この遅延させるライン数は、ＬＥＤヘッド２５ｃの部品精度や組み付けばらつき等により個々に異なるため、１ライン（４２．３μｍ）単位で制御することができるようになっている。
【００５２】
また、ＬＥＤヘッド２５ａ、２５ｂ、２５ｃは、各ＬＥＤ素子ＬＥ１〜ＬＥ７６８０の光量バラツキを補正するために、ＬＥＤ素子ＬＥ１〜ＬＥ７６８０毎に６ｂｉｔの補正データとＬＥＤ素子ＬＥ１〜ＬＥ７６８０の１９２個おきにＬＥＤアレイチップ補正データの入った光量補正ＲＯＭ（図示略）を搭載しており、デジタル複写装置１は、電源が投入されると、この光量補正ＲＯＭの光量バラツキ補正データを各ＬＥＤヘッド２５ａ、２５ｂ、２５ｃに転送する。
【００５３】
すなわち、電源投入時及びＬＥＤ書込制御回路５１がリセットした後、ＬＥＤ書込制御回路５１は、最初に、ＬＥＤヘッド２５ａ内に搭載されている光量補正用ＲＯＭ（ＥＥＰＲＯＭ）から第２ＩＣ９２を介して内部回路でシリアル／パラレル変換してアドレス信号ＨＯＳＥＩＡＤ（１２．．０）により００００Ｈから順番に光量補正データＲＡＭ部９５に格納する。この光量補正データＲＡＭ部９５としては、ＳＲＡＭが用いられている。ＬＥＤ書込制御回路５１は、光量補正データＲＡＭ部９５にＬＥＤヘッド２５ａ、２５ｂ、２５ｃのドット分のデータが格納されると、次に、光量補正データＲＡＭ部９５からデータを読み出して、光量補正データＨＯＳＥＩＤ（７．．０）を、再度、第２ＩＣ９２に入力して、第２ＩＣ９２の内部回路で、４ビット単位にデータ変換し、Ｌ１ＤＴ（３．．０）からＬＥＤヘッド２５ａに転送して、ＬＥＤヘッド２５ａの光量補正を行う。
【００５４】
ＬＥＤ書込制御回路５１は、このようにして、ＬＥＤヘッド２５ａへの光量補正データの転送を行うと、ＬＥＤヘッド２５ａと同様に、順次、ＬＥＤヘッド２５ｂ、２５ｃについても同様に光量補正を行う。
【００５５】
そして、このように転送した光量補正データは、ＬＥＤヘッド２５ａ、２５ｂ、２５ｃの電源をＯＦＦしない限り、ＬＥＤヘッド２５ａ、２５ｂ、２５ｃ内部で保持される。
【００５６】
また、デジタル複写装置１は、主走査方向最大４２０ｍｍ（Ａ２縦サイズ）までの画像を、最大８４１ｍｍ（Ａ０縦サイズ）の用紙に同じ画像を並べて２回印字し、コピーするダブルコピー機能を備えている。
【００５７】
このダブルコピー時、デジタル複写装置１は、画像メモリ部６１から２値画像信号（ＰＫＤＥ、ＰＫＤＯ）をＬＳＹＮＣ＿Ｎの１／２以下でＬＥＤ書込制御回路５１に転送するため、これを利用して、１つのＬＳＹＮＣ＿Ｎの中で、画像信号のダビング操作を行う。すなわち、ＬＥＤ書込制御回路５１は、画像メモリ部６１から１６ＭＨｚで送られてきた画像信号（ＰＫＤＥ、ＰＫＤＯ）を、第１ＩＣ９１からＷＤＥ、ＷＤＯとしてダブルコピーＲＡＭ部９７にアドレス信号ＷＡＤＲ（１３．．０）とともに出力され、ダブルコピーＲＡＭ部９７に画像データを格納すると同時に、画像データＲＡＭ部９３Ａ＿１〜９３Ａ＿３、９３Ｂ＿１〜９３Ｂ＿３の３個のＡ群ＳＲＡＭ９３Ａ＿１〜９３Ａ＿３に格納する。画像メモリ部６１からの画像信号格納終了と同時に、ダブルコピーＲＡＭ部９７に格納した画像データを読み出して、第１ＩＣ９１に取り込み、ＬＥＤ書込制御回路５１は、画像メモリ部６１から送られてきた画像データと同様に、Ａ群ＳＲＡＭ９３Ａ＿１〜９３Ａ＿３に追加読み込みさせる。したがって、Ａ群ＳＲＡＭ９３Ａ＿１〜９３Ａ＿３には、ダブルコピー画像の主走査１ライン部が格納されたことになる。ＬＥＤ書込制御回路５１は、この動作をＡ群ＳＲＡＭ９３Ａ＿１〜９３Ａ＿３とＢ群ＳＲＡＭ９３Ｂ＿１〜９３Ｂ＿３をトグルさせることで、ライン間の繋ぎを行う。
【００５８】
そして、第２ＩＣ９２は、上述のようにして８ｄｏｔ単位のデジタル記録画像データが入力されると、第２ＩＣ９２内部で４ｄｏｔ単位にフォーマットし、データ転送クロックＣＬＫと点灯タイミング信号とともに、画像データ出力部９６に出力する。画像データ出力部９６は、４ｄｏｔ単位にフォーマットされた画像データがデータ転送クロックＣＬＫと点灯タイミング信号とともに第２ＩＣ９２から入力されると、当該画像データをＬＥＤヘッド２５ａ、２５ｂ、２５ｃに転送する。
【００５９】
ＬＥＤ書込制御回路５１は、書込制御プログラムを格納するダウンロード部９８を備えており、ダウンロード部９は、例えば、ＥＰＲＯＭ（Ｅｒａｓａｂｌｅ  ａｎｄ  Ｐｒｏｇｒａｍｍａｂｌｅ  ＲＯＭ）で構成されている。このようにダウンロード部９８を備えているのは、上記第１ＩＣ９１、第２ＩＣ９２がＳＲＡＭ（Ｓｔａｔｉｃ  ＲＡＭ  ）タイプのＣＰＬＤであり、電源がオフされることで、第１ＩＣ９２及び第２ＩＣ９２内部の書込制御プログラムが全て消去され、電源がオンされたときに、この書込制御プログラムを毎回ダウンロード（コンフィギュレーション）する必要があるからである。すなわち、電源が投入されると、ＬＥＤ書込制御回路５１は、第１ＩＣ９１にダウンロード部９８からＤＯＷＮＲＯＡＤ＿ＣＰＬＤ１としてプログラムをシリアルデータで転送し、ダウンロードを行う。ＬＥＤ書込制御回路５１は、第１ＩＣ９１にプログラムのダウンロードが終了すると同時に、第２ＩＣ９２にダウンロード部９８からＤＯＷＮＲＯＡＤ＿ＣＰＬＤ２としてプログラムをシリアルデータで転送し、プログラムをダウンロードする。
【００６０】
さらに、ＬＥＤ書込制御回路５１は、また、リセット回路９９を備えており、システムの初期化を行う。すなわち、電源オン時及びＬＥＤ書込制御回路５１の供給電源の電圧降下が発生すると、リセット回路９９が、システムリセット信号ＲＥＳＥＴ＿ＣＰＬＤ１及びシステムリセット信号ＲＥＳＥＴ＿ＣＰＬＤ２を出力する。システムリセット信号ＲＥＳＥＴ＿ＣＰＬＤ１は、第１ＩＣ９１に入力され、システムリセット信号ＲＥＳＥＴ＿ＣＰＬＤ２は、第２ＩＣ９２に入力される。第１ＩＣ９１及び第２ＩＣ９２は、それぞれシステムリセット信号ＲＥＳＥＴ＿ＣＰＬＤ１及びシステムリセット信号ＲＥＳＥＴ＿ＣＰＬＤ２に基づいて内部カウンタのリセットを行い、システムの初期化を行う。
【００６１】
そして、上記システム制御部６２は、制御信号入力データバスＬＤＡＴＡ（７．．０）、アドレスバスＬＡＤＲ（５．．０）、ラッチ信号ＶＤＢＣＳ、画像転送信号ＳＧＡＴＥ＿Ｎを、第１ＩＣ９１及び第２ＩＣ９２に入力することで、ＬＥＤ書込制御回路５１への書込条件（ダブルコピーの有無、書込用紙サイズ等）の設定・制御を行う。
【００６２】
次に、本実施の形態の作用を説明する。本実施の形態のデジタル複写装置１は、ＬＥＤヘッド２５ａ、２５ｂ、２５ｃに主走査１ライン間に画像データを数回転送して発光させ、また、繋ぎ目のドット（ＬＥＤ素子）に転送する画像データを制御することで、２値化手の階調性を増加させ、２値ＬＥＤヘッドであるＬＥＤヘッド２５ａ、２５ｂ、２５ｃの繋ぎ目部の光量ムラをなくしている。
【００６３】
すなわち、光書込部２５は、３つのＬＥＤヘッド２５ａ、２５ｂ、２５ｃが感光体２３の軸線方向に千鳥状に配設されているとともに画像が重ならないように、ＬＥＤヘッド２５ａ、２５ｃのドット位置を制御して、ＬＥＤヘッド２５ｂとの繋ぎ目部を１ドット未満の重なりとしており、この各ＬＥＤヘッド２５ａ、２５ｂ、２５ｃにおいて、従来のように、単に２値画像データを１回のみ転送して点灯させると、図９及び図１０に示したように、ＬＥＤヘッド２５ａ、２５ｂ、２５ｃの繋ぎ目部で黒スジや白スジが発生することとなる。
【００６４】
そこで、本実施の形態のデジタル複写装置１は、２値データに階調を持たせることで、ＬＥＤヘッド２５ａ、２５ｂ、２５ｃ間の繋ぎ目部のドットデータ補正制御を行っている。
【００６５】
すなわち、図６にＬＥＤヘッド２５ａ、２５ｂ、２５ｃの１ライン点灯画像（１ドット間隔点灯）を示すように、各ＬＥＤヘッド２５ａ、２５ｂ、２５ｃの画像有効幅Ｌ１〜Ｌ３から繋ぎ目部ドット（ＬＥＤ素子）ａ１と繋ぎ目部ドット（ＬＥＤ素子）ａ２は、ＬＥＤヘッド２５ａ、２５ｂ、２５ｃ間の１ドット未満の重なりとなっている。なお、図６では、ドットａ１を、ドットａとして、また、ドットａ２を、ドットｂとして、簡略化して記載している。
【００６６】
そして、デジタル複写装置１は、このＬＥＤヘッド２５ａ、２５ｂ、２５ｃに対して、図６のタイミング図で示すように、主走査１ラインＬにおいて、３本のＬＥＤヘッド２５ａ、２５ｂ、２５ｃを同時に１ドット〜７６８０ドットを３回繰り返して点灯させている。
【００６７】
さらに、デジタル複写装置１は、この３回の走査を行う際に、図６のタイミング図に示すように、ＬＥＤヘッド２５ｂの繋ぎ目部ドットａ１、ａ２に対して、主走査１ライン間の１回目の走査では、「１」（点灯：黒データ）を印字し、２回目の走査では、繋ぎ目ドットａ１は、「０」（消灯：白データ）を、繋ぎ目ドットａ２は、「１」（点灯：黒データ）を、それぞれ印字させ、３回目の走査では、繋ぎ目ドットａ１と繋ぎ目ドットａ２の両方について、「０」（消灯：白データ）を印字していしる。
【００６８】
すなわち、単に、ＬＥＤヘッド２５ａ、２５ｂ、２５ｃを主走査１ラインＬにおいて、図７（ａ）にその光量波形で示すように、繋ぎ目ドットａ１、ａ２を点灯、または、消灯させる走査を３回行う場合よりも、図７（ｂ）にその光量波形で示すように、繋ぎ目部ドットａ１、ａ２の画像データを制御して、点灯と消灯を変化させると、繋ぎ目部でのデータの階調を持たせることができ、繋ぎ目部の濃度をより一層均一化させて、繋ぎ目部の光量ムラによる黒スジや白スジの発生を防止することができる。
【００６９】
また、デジタル複写装置１は、上記３回の走査を行うのに、繋ぎ目部ドットａ１、ａ２の画像データを制御する際に、当該繋ぎ目部のドットａ１とドットａ２の間隔に基づいて、画像データを制御してもよい。
【００７０】
このようにすると、ブナ決め部でのデータの階調性をより一層増加させて、繋ぎ目部の光量ムラをより一層防止することができ、より一層画像品質を向上させることができる。
【００７１】
なお、上記説明では、ＬＥＤヘッド２５ｂの繋ぎ目部ドット（ＬＥＤ素子）１ａ、２ａに対して画像データの制御を行っているが、ＬＥＤヘッド２５ａ、２５ｃの繋ぎ目部ドット（ＬＥＤ素子）に対しても画像データの制御を行ってもよいし、ＬＥＤヘッド２５ａ、２５ｃの繋ぎ目部ドットに対してのみ画像データの制御を行ってもよい。
【００７２】
このように、本実施の形態のデジタル複写装置１は、複数個のＬＥＤ素子が１方向に配列されたＬＥＤアレイを有する複数のＬＥＤヘッド２５ａ、２５ｂ、２５ｃが、感光体２３の軸線方向を主走査方向として副走査方向に所定量ずれて、主走査方向で所定量重なる状態で千鳥状に配列され、１ライン分の画像データをＬＥＤヘッド２５ａ、２５ｂ、２５ｃ毎に分割して各ＬＥＤヘッド２５ａ、２５ｂ、２５ｃに転送して、当該ＬＥＤヘッド２５ａ、２５ｂ、２５ｃの各ＬＥＤ素子を駆動させて主走査するに際して、主走査１ラインの間に１ライン分の画像データを各ＬＥＤヘッド２５ａ、２５ｂ、２５ｃに複数回転送して、各ＬＥＤ素子を駆動させている。
【００７３】
したがって、２値画像データの階調性を増加させて、繋ぎ目位置の光量ムラを防止することができ、画像品質を向上させることができる。
【００７４】
また、本実施の形態のデジタル複写装置１は、各ＬＥＤヘッド２５ａ、２５ｂ、２５ｃの重なり部分での当該ＬＥＤヘッド２５ａ、２５ｂ、２５ｃ間の繋ぎ目位置（繋ぎ目部）のＬＥＤ素子（ドット）のうち、当該重なり合うＬＥＤヘッド２５ａ、２５ｂ、２５ｃのいずれか一方または双方の当該繋ぎ目位置のＬＥＤ素子に転送する画像データを制御して、当該繋ぎ目位置のＬＥＤ素子の点灯回数を制御している。
【００７５】
したがって、繋ぎ目位置の２値画像データの階調性を一層増加させて、繋ぎ目位置の光量ムラを一層防止することができ、画像品質を一層向上させることができる。
【００７６】
さらに、本実施の形態のデジタル複写装置１は、繋ぎ目位置のＬＥＤ素子に転送する画像データを、当該繋ぎ目位置における当該重なり合うＬＥＤヘッド２５ａ、２５ｂ、２５ｃ間でのＬＥＤ素子の間隔に基づいて、当該繋ぎ目位置のＬＥＤ素子に転送する画像データを制御して、当該ＬＥＤ素子の点灯回数を制御している。
【００７７】
したがって、繋ぎ目位置の２値画像データの階調性をより一層増加させて、繋ぎ目位置の光量ムラをより一層防止することができ、画像品質をより一層向上させることができる。
【００７８】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７９】
【発明の効果】
請求項１記載の発明の画像書込装置によれば、複数個の発光素子が１方向に配列された発光素子アレイを有する複数の発光素子アレイユニットが、感光体の軸線方向を主走査方向として副走査方向に所定量ずれて、主走査方向で所定量重なる状態で千鳥状に配列され、１ライン分の画像データを発光素子アレイユニット毎に分割して各発光素子アレイユニットに転送して、当該発光素子アレイユニットの各発光素子を駆動させて主走査するに際して、主走査１ラインの間に１ライン分の画像データを各発光素子アレイユニットに複数回転送して、各発光素子を駆動させているので、２値画像データの階調性を増加させて、繋ぎ目位置の光量ムラを防止することができ、画像品質を向上させることができる。
【００８０】
請求項２記載の発明の画像書込装置によれば、各発光素子アレイユニットの重なり部分での当該発光素子アレイユニット間の繋ぎ目位置の発光素子のうち、当該重なり合う発光素子アレイユニットのいずれか一方または双方の当該繋ぎ目位置の発光素子に転送する画像データを制御して、当該繋ぎ目位置の発光素子の点灯回数を制御しているので、繋ぎ目位置の２値画像データの階調性を一層増加させて、繋ぎ目位置の光量ムラを一層防止することができ、画像品質を一層向上させることができる。
【００８１】
請求項３記載の発明の画像書込装置によれば、繋ぎ目位置の発光素子に転送する画像データを、当該繋ぎ目位置における当該重なり合う発光素子アレイユニット間での発光素子の間隔に基づいて、当該繋ぎ目位置の発光素子に転送する画像データを制御して、当該発光素子の点灯回数を制御しているので、繋ぎ目位置の２値画像データの階調性をより一層増加させて、繋ぎ目位置の光量ムラをより一層防止することができ、画像品質をより一層向上させることができる。
【図面の簡単な説明】
【図１】本発明の画像書込装置の一実施の形態を適用したデジタル複写装置の概略構成図。
【図２】図１のデジタル複写装置の要部回路ブロック構成図。
【図３】図２のＬＥＤヘッドの回路構成図。
【図４】図３のＬＥＤヘッドのドライバの詳細な回路図。
【図５】図２のＬＥＤ書込制御回路の詳細な回路図。
【図６】図５のＬＥＤ書込制御回路によるＬＥＤヘッドの走査制御の説明図。
【図７】図５のＬＥＤ書込制御回路による繋ぎ目部ドットの画像データ制御を行う前（ａ）と画像データ制御を行った後のＬＥＤヘッドの走査制御とＬＥＤ素子の光量波形の説明図。
【図８】従来のＬＥＤヘッドとその繋ぎ目部ドットの説明図。
【図９】図８のＬＥＤヘッドで繋ぎ目部に黒スジが発生する場合の説明図。
【図１０】図８のＬＥＤヘッドで繋ぎ目部に白スジが発生する場合の説明図。
【符号の説明】
１  デジタル複写装置
２  本体筐体
３  給紙部
４  搬送部
５  画像形成部
６  定着部
７  排紙部
８  画像読取部
１０  手差しトレイ
１１  原稿台
１２  分離チャージャ
１３  搬送タンク
１４  排紙トレイ
１５  操作部
１６  原稿排紙トレイ
２１  転写紙
２２  レジストローラ
２３  感光体
２４  帯電部
２５  光書込部
２５ａ、２５ｂ、２５ｃ  ＬＥＤヘッド
２６  現像部
２７  転写部
２８  クリーニング部
３１  ローラ
３２  密着センサ
３３  白色ローラ
３４  ローラ
４１  画像情報記憶部
５１  ＬＥＤ書込制御回路
５２  プリンタ駆動部
６１  画像メモリ部
６２  システム制御部
６３  駆動制御回路
７１  操作パネル
７２  操作制御回路
８１  画像増幅回路
８２  Ａ／Ｄ変換回路
８３  シェーディング補正回路
８４  画像処理回路
８５  同期制御回路
８６  読取制御回路
８７  スキャナ駆動部
９０  画像データ入力部
９１  第１ＩＣ
９２  第２ＩＣ
９３Ａ＿１〜９３Ａ＿３、９３Ｂ＿１〜９３Ｂ＿３  画像データＲＡＭ部
９４Ａ〜９４Ｃ  画像データ遅延部
９５  光量補正ＲＡＭ部
９６  画像データ出力部
９７  ダブルコピーＲＡＭ部
９８  ダウンロード部
９９  リセット回路部
１０１  パルスクロック
１０２  データバス
１０３  データラッチ
１０４  電流ドライバ
１０５  チップ補正データラッチ
【図１】
2004216709.tif 000003
【図２】
2004216709.tif 000004
【図３】
2004216709.tif 000005
【図４】
2004216709.tif 000006
【図５】
2004216709.tif 000007
【図６】
2004216709.tif 000008
【図７】
2004216709.tif 000009
【図８】
2004216709.tif 000010
【図９】
2004216709.tif 000011
【図１０】
2004216709.tif 000012